(57)【要約】【課題】１人でも短時間で、かつ少ない労力で綺麗にベッドメイキングすることができ、かつ、クリーニングコストが低い包布を提供することにある。【解決手段】本発明の包布１は、一方の短辺１１側に掛布団を挿入するための包布挿入口５を形成してなる長尺な袋状の包布本体２と、包布本体２の裏面の短辺１１側に設けられ、ベッドが備えるマットレスの一部を収容可能に形成されたポケット３とを有している。また、包布本体２の短辺１２側の両長辺部に、掛布団を包布本体２内に手で引き入れるための２つの手差込み口６、６が形成されている。【選択図】図１
2020022688.tif 000002
【特許請求の範囲】
【請求項１】
マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、
前記包布本体の前記布団挿入口反対の短辺側の両長辺部に、前記掛布団を前記包布本体内に手で引き入れるための手差込み口が形成されていることを特徴とする包布。
【請求項２】
前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の表面に裏返すことにより前記掛布団が前記包布内に収容される請求項１に記載の包布。
【請求項３】
前記包布本体の前記表面および前記ポケットの表面のそれぞれに、前記ポケットを前記包布本体の前記表面に裏返した際に、互いに係合可能な留め具をさらに有する請求項２に記載の包布。
【請求項４】
前記留め具は、前記包布本体の前記表面および前記ポケットの表面のそれぞれに、複数設けられており、
前記ポケットの表面に設けられた複数の前記留め具は、前記ポケットの開口沿いに配列されている請求項３に記載の包布。
【請求項５】
前記留め具は、プラスチック製のスナップボタンである請求項３または４に記載の包布。
【請求項６】
前記包布本体および前記ポケットを構成する生地は、制電糸を含むポリエステル繊維で構成された生地である請求項１ないし５のいずれかに記載の包布。
【請求項７】
マットレスを備えたベッドに用いられる掛布団の包布の製造方法であって、
ポケット構成部、裏面構成部および表面構成部がこの順に連続して存在する、長尺かつ幅広な生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、を有することを特徴とする包布の製造方法。
【請求項８】
前記ポケット構成部および前記表面構成部は、前記生地の両短辺部を複数回折り込んで形成される短辺折込み部を含む請求項７に記載の包布の製造方法。
【請求項９】
前記包布本体の表面および前記ポケットの表面のそれぞれに、前記ポケットを前記包布本体の表面に裏返した際に、互いに係合可能な留め具を取り付ける工程を、さらに有する請求項７または８に記載の包布の製造方法。
【発明の詳細な説明】
【技術分野】
【０００１】
本発明は、例えば、ベッドに用いられる掛布団の包布およびその製造方法に関する。
【背景技術】
【０００２】
医療施設、福祉施設、ホテル等に設置されるベッドのベッドメイキングでは、掛布団カバー（包布）等の交換が行われる。
【０００３】
包布としては、一般的に、長尺な袋状をなし、一方の長辺部に掛布団挿入用の挿入口と、挿入口を開閉するためのジッパー等を備えた包布が用いられている。このような包布内に掛布団を収容するためには、掛布団の４隅の角部のうち、１つの角部を持って掛布団の一部を挿入口から包布内に押し込み、続いて、他の角部を持って掛布団のその他の部分を挿入口から包布内に押し込み、その後、包布の一部を引張る等して掛布団が包布内に拡がるように調整する必要がある。このように、掛布団の包布を交換する作業は、相当の労力と時間を必要とし、医療施設等のように大量のベッドが使用されるところでは、この作業を行う人にとっては重労働となっていた。
【０００４】
このような問題を解決するため、包布の裾側に掛布団を挿入するための挿入口が設けられ、包布の衿元側の両側部に、両手を差し入れて包布内に挿入した掛布団の一部を引き入れるための手差入れ口が設けられた包布が知られている（例えば、特許文献１参照）。係る包布内に掛布団を収容するには、まず、包布の裾部をその衿元側に捲り上げた（たくり上げた）状態で、掛布団を挿入口から包布内に挿入し、次いで、手差入れ口から両手を入れて、掛布団の一部を掴んで、掛布団を包布内に引き入れる。その後、手差入れ口から両手を出して、掛布団とともに包布の衿元部を掴んで掛布団および包布を持ち上げることにより、捲り上げた包布の裾部が下方にずれ落ちる。その後、包布の裾部に設けられたファスナー等を閉じることにより、包布内に掛布団が収容される。
【０００５】
しかしながら、係る包布の交換作業では、掛布団を持ち上げる必要があり、医療施設等で大量の包布交換をする作業者にとっては、依然として重労働であった。
【先行技術文献】
【特許文献】
【０００６】
【特許文献１】特開２００２−１８６５４８号公報
【発明の概要】
【発明が解決しようとする課題】
【０００７】
本発明は、上記従来の問題点を鑑みなされたものであり、その目的は、１人でも短時間で、かつ少ない労力で綺麗にベッドメイキングすることができ、かつ、クリーニングコストが低い包布を提供することにある。
【課題を解決するための手段】
【０００８】
このような目的は以下の（１）〜（９）の本発明により達成される。
（１）  マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、
前記包布本体の前記布団挿入口反対の短辺側の両長辺部に、前記掛布団を前記包布本体内に手で引き入れるための手差込み口が形成されていることを特徴とする包布。
【０００９】
（２）  前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の表面に裏返すことにより前記掛布団が前記包布内に収容される上記（１）に記載の包布。
【００１０】
（３）  前記包布本体の前記表面および前記ポケットの表面のそれぞれに、前記ポケットを前記包布本体の前記表面に裏返した際に、互いに係合可能な留め具をさらに有する上記（２）に記載の包布。
【００１１】
（４）  前記留め具は、前記包布本体の前記表面および前記ポケットの表面のそれぞれに、複数設けられており、
前記ポケットの表面に設けられた複数の前記留め具は、前記ポケットの開口沿いに配列されている上記（３）に記載の包布。
【００１２】
（５）  前記留め具は、プラスチック製のスナップボタンである上記（３）または（４）に記載の包布。
【００１３】
（６）  前記包布本体および前記ポケットを構成する生地は、制電糸を含むポリエステル繊維で構成された生地である上記（１）ないし（５）のいずれかに記載の包布。
【００１４】
（７）  マットレスを備えたベッドに用いられる掛布団の包布の製造方法であって、
ポケット構成部、裏面構成部および表面構成部がこの順に連続して存在する、長尺かつ幅広な生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、を有することを特徴とする包布の製造方法。
【００１５】
（８）  前記ポケット構成部および前記表面構成部は、前記生地の両短辺部を複数回折り込んで形成される短辺折込み部を含む上記（７）に記載の包布の製造方法。
【００１６】
（９）  前記包布本体の表面および前記ポケットの表面のそれぞれに、前記ポケットを前記包布本体の表面に裏返した際に、互いに係合可能な留め具を取り付ける工程を、さらに有する上記（７）または（８）に記載の包布の製造方法。
【発明の効果】
【００１７】
本発明の包布は以下のようにして使用される。まず、マットレスの一部にポケットを被せた状態で、掛布団を布団挿入口から挿入し、かつ、手差込み口から両手を包布内に入れ、掛布団を掴んで包布内に完全に引き入れる。その後、マットレスからポケットを外して、包布（包布本体）の表面に裏返すことにより、包布内に掛布団を収容する。本発明の包布では、マットレスの一部にポケットを被せることにより、包布の布団挿入口側の短辺部がマットレスに固定されるため、手差込み口から両手を包布内に入れて、掛布団を持ち上げる必要もなく、スムーズに掛布団を包布内に引き入れることができる。そのため、１人でも短時間で、かつ少ない労力でベッドメイキングすることができる。
【図面の簡単な説明】
【００１８】
【図１】図１は、本発明の好適な実施形態の包布の斜視図であり、図１（ａ）は包布の表側の斜視図であり、図１（ｂ）は包布の裏側の斜視図である。
【図２】図２は、図１に示す包布内に掛布団を収容した状態を示す斜視図であり、図２（ａ）はその表側の斜視図であり、図２（ｂ）はその裏側の斜視図である。
【図３】図３（ａ）および（ｂ）は、本発明の好適な実施形態の包布の製造方法を説明するための図である。
【図４】図４（ａ）および（ｂ）は、本発明の好適な実施形態の包布の製造方法を説明するための図である。
【図５】図５（ａ）は、本発明の好適な実施形態の包布の製造方法により製造された包布の裏側の平面図であり、図５（ｂ）は、図５（ａ）のＸ−Ｘ線断面の模式図である。
【図６】図６（ａ）〜（ｃ）は、図１に示す包布に掛布団を収容する手順を説明するための図である。
【図７】図７（ａ）〜（ｃ）は、図１に示す包布に掛布団を収容する手順を説明するための図である。
【発明を実施するための形態】
【００１９】
以下、本発明の包布および包布の製造方法を添付図面に示す好適な実施形態に基づいて説明する。
まず、本発明の包布の好適な実施形態について説明する。
【００２０】
＜包布＞
図１は、本発明の好適な実施形態の包布の斜視図であり、図１（ａ）は包布の表側の斜視図であり、図１（ｂ）は包布の裏側の斜視図である。図２は、図１に示す包布内に掛布団を収容した状態を示す斜視図であり、図２（ａ）はその表側の斜視図であり、図２（ｂ）はその裏側の斜視図である。
【００２１】
本発明の包布は、医療施設、福祉施設、ホテル等に設置されるマットレスを備えたベッド用の掛布団に用いられる包布（掛布団カバー）として用いられる。
【００２２】
包布１は、図１（ａ）および（ｂ）に示すように、生地１００から形成され、一方の短辺部１１側に掛布団を挿入するための布団挿入口５を形成してなる長尺な袋状の包布本体２と、包布本体２の裏面の短辺部１１側に設けられ、ベッドが備えるマットレスの一部を収容可能に形成されたポケット３とを有している。また、包布本体２の布団挿入口５反対の短辺部１２（他方の短辺部）側の両長辺部に、掛布団を包布本体２内に手で引き入れるための２つの手差込み口６、６が形成されている。
【００２３】
なお、本明細書中において、「包布１（包布本体２）の裏面」とは、包布１（包布本体２）の通常の使用状態で、包布１（包布本体２）のマットレス側に位置する面を意味する。また、「包布１（包布本体２）の表面」とは、包布１（包布本体２）の通常の使用状態で、包布１（包布本体２）のマットレス側に位置する面の反対側の面を意味する。
【００２４】
また、本実施形態の包布１では、包布１の衿元側（短辺部１１側）に布団挿入口５が設けられ、包布１の裾側（短辺部１２側）に手差込み口６、６が設けられている。
【００２５】
このような包布１は、以下のようにして用いられる。まず、包布本体２の裏面がマットレスと対向するようにして包布１をベッドのマットレス上に載置して、マットレスの一部（マットレスの頭部側の端部）に、ポケット３を被せる。この状態で、布団挿入口５から掛布団の一部を包布本体２内に挿入し、かつ、手差込み口６、６から両手を包布本体２内に入れて掛布団の端部を持ち、掛布団を包布本体２（包布１）内に完全に引き入れる。その後、ポケット３を、マットレスから外して、布団挿入口５を覆うように包布本体２の表面（包布１の表側）に裏返すことにより、包布１内に掛布団が収容される。
【００２６】
マットレスの一部にポケット３を被せた状態では、包布１の衿元側の短辺部１１がマットレスに固定されるため、包布１の短辺部１１の表側の生地１００を一方の片手で上に引張った状態で、掛布団の一部を布団挿入口５から包布１内に他方の片手で簡単に挿入することができる。また、包布１の衿元側の短辺部１１がマットレスに固定されることにより、手差込み口６、６から両手を包布本体２内に入れて、掛布団の端部を掴んでベッドの足側に引張るだけで、包布１の裾側の短辺部１２および掛布団がマットレスの脚部側に引き伸ばされ、掛布団を包布１内に少ない労力で簡単に引き入れることができる。係る作業では、掛布団を持ち上げる必要もなく、スムーズに掛布団を包布１内に引き入れることができるため、１人でも短時間で、かつ少ない労力でベッドメイキングすることができる。
【００２７】
また、包布１は、包布本体２の表面およびポケット３の表面のそれぞれに、ポケット３を包布本体２の表面に裏返した際に、互いに係合可能な留め具４を有していることが好ましい。本実施形態では、包布本体２表面の２つの留め具４１、４２が、短辺部１１から所定の距離離間した位置に設けられており、包布１の幅方向に配列されている。また、ポケット３の表面（包布１の裏側）の２つの留め具４３、４４が、ポケット３の開口３１沿いに配列されている。ポケット３を包布本体２の表面に裏返した際に、留め具４１が留め具４４に係合し、留め具４２が留め具４３に係合する（図２（ａ）参照）。なお、包布本体２の表面およびポケット３の表面のそれぞれに設けられる留め具４の数は、２つに限られず、１つでもよいし、３つ以上であってもよい。
【００２８】
包布１では、ポケット３を、マットレスから外して包布本体２の表面に裏返すことにより、包布１内に掛布団を収容することができるが、留め具４（４１、４２、４３、４４）同士を係合することによって、ポケット３が包布本体２の表面の生地１００に固定されるため、包布１に収容された掛布団を使用する際に、包布１から掛布団が外に出ることを確実に防止することができる。
【００２９】
留め具４としては、ボタン、ホック、面ファスナー等を用いることができる。特に、ボタンの中でも、サイズが小さく、かつ優れた固定力を有するスナップボタンを用いることが好ましい。また、プラスチック製のスナップボタンを用いることがより好ましい。医療施設等で使用される多量の包布を洗濯する際には、大型の洗濯機および乾燥機（ロール式乾燥機、タンブラー式乾燥機等）が用いられる。係る洗濯工程では、医療施設で使用される金属（注射針等）が包布内に混入しているかどうかをチェックするため、金属検出機による検査が行われるが、留め具４としてプラスチック製のスナップボタンを使用することにより、留め具４が原因で異常検知されることはない。
【００３０】
包布１（包布本体２）のサイズは、掛布団のサイズによって変更され、特に限定されないが、例えば、幅：１１５０〜１４５０ｍｍ程度、長さ：１６００〜２０００ｍｍ程度であることが好ましい。
【００３１】
また、ポケット３の長さ（深さ）は、特に限定されないが、２００〜４００ｍｍ程度であることが好ましく、２５０〜３５０ｍｍ程度であることがより好ましい。ポケット３の長さが上記範囲内であれば、マットレスの一部にポケット３を被せた状態から、ポケット３が不本意にマットレスから外れることを防止することができる。また、ポケット３を包布本体２の表面に裏返した際に、布団挿入口５をポケット３で十分に覆うことができるため、包布１内から掛布団が出てしまうのをより確実に防止することができる。
【００３２】
また、手差込み口６の長さは、作業者の手が包布本体２内に入れることができる長さであれば特に限定されないが、１５０〜３００ｍｍ程度であることが好ましく、１５０〜２００ｍｍ程度であることがより好ましい。手差込み口６の長さが上記範囲内であれば、作業性が向上するとともに、掛布団収容後の包布１の外観も良好となる。
【００３３】
また、包布本体２の表面およびポケット３の表面のいずれの留め具４も、短辺部１１から１８０〜３８０ｍｍ離間した位置に設けられていることが好ましい。さらに、図１に示すように、包布本体２の表面およびポケット３の表面のそれぞれの留め具４は、包布１の幅方向に略均等な間隔で設けられていることが好ましく、例えば、包布１の各長辺から近接する留め具４までの長さは、３５０〜４５０ｍｍ程度であることが好ましく、隣接する留め具４間の長さは、４５０〜５５０ｍｍ程度であることが好ましい。上記条件を満足するように留め具４を配設することにより、留め具４の係合後の状態で、ポケット３にしわが発生し難くなり、より綺麗にベッドメイキングすることができる。
【００３４】
包布１は、長尺かつ幅広な、長方形状の生地１００で形成されている。
生地１００としては、平坦になるような生地が好ましい。生地としては、例えば、織物、編物、不織布または織物部分と編物部分とを組み合わせた構成の生地を用いることができるが、編物を用いるのが好ましい。また、このような編物としては、各種緯編地および各種経編地を用いることができるが、特に、経編地であるトリコット地を用いるのが好ましい。トリコット地は、適度な収縮性（ストレッチ性）を有しており、しわが目立ちにくい生地である。そのため、生地１００としてトリコット地を用いることにより、包布表面にしわが出来難く、また、包布内に掛布団を収容した状態で折畳んでも、しわのない、清潔感のあるベッドメイキングが可能である。さらに、生地１００としてトリコット地を用いることにより、包布１の洗濯後にアイロンがけが不要となる。すなわち、包布１を洗濯後、乾燥させてから折り畳むだけで、しわのないクリーニングされた包布１を得ることができる。そのため、包布１のクリーニングコストを抑えることができる。
【００３５】
なお、生地１００を構成する繊維としては、例えば、ポリエステル繊維やポリアミド繊維等の合成繊維、綿、綿と各種合成繊維との混紡繊維等を用いることができるが、ポリエステル（ポリエステル１００％）繊維がより好ましい。特に、生地１００として、ポリエステル繊維で構成された平坦な生地を用いることが好ましい。このような生地１００で構成された包布１は、洗濯・乾燥後に折り畳み易くなる。また、ポリエステル繊維としては、包布１に静電気が発生するのを防止する観点から、制電糸を含んでいることが好ましい。
【００３６】
次に、生地１００を用いて、包布１を製造する方法について説明する。
＜包布の製造方法＞
図３（ａ）、（ｂ）および図４（ａ）、（ｂ）は、本発明の好適な実施形態の包布の製造方法を説明するための図である。図５（ａ）は、本発明の好適な実施形態の包布の製造方法により製造された包布の裏側の平面図であり、図５（ｂ）は、図５（ａ）のＸ−Ｘ線断面の模式図である。
【００３７】
包布１は、上述したような生地１００を用いて以下の（Ｉ）〜（Ｖ）の工程を経て形成される。具体的には、図３、図４および図５（ａ）に示すように、（Ｉ）ポケット構成部Ｃ、裏面構成部Ａおよび表面構成部Ｂがこの順に連続して存在する、長尺かつ幅広な生地１００を準備する工程と、（ＩＩ）ポケット構成部Ｃを、ポケット構成部Ｃと裏面構成部Ａとの境界部で折返して裏面構成部Ａに重ねる工程と、（ＩＩＩ）ポケット構成部Ｃを挟み込むように、表面構成部Ｂを、裏面構成部Ａと表面構成部Ｂとの境界部で折畳んで裏面構成部Ａに重ねる工程と、（ＩＶ）表面構成部Ｂおよび裏面構成部Ａの両側部の生地１００が重なった部分のうち、裏面構成部Ａと表面構成部Ｂとの境界部側に設定される手差込み口領域Ｆを除いて縫製して、袋状の縫製体１０を得る工程と、（Ｖ）縫製体１０を裏返して包布１を得る工程と、を有する。
【００３８】
なお、生地１００を構成するポケット構成部Ｃは、得られる包布１のポケット３を構成し、同様に、裏面構成部Ａは包布１の裏面を構成し、表面構成部Ｂは包布１の表面を構成する。
【００３９】
以下、各工程について順次説明する。
（Ｉ）
まず、前述した、長尺かつ幅広な生地１００を準備する（図３（ａ）参照）。係る生地１００は、包布１のポケット３を構成するポケット構成部Ｃ、包布１（包布本体２）の裏面を構成する裏面構成部Ａ、および包布１（包布本体２）の表面を構成する表面構成部Ｂがこの順に連続して存在する生地である。
【００４０】
生地１００のサイズは、例えば、幅：１１７０〜１４７０ｍｍ程度、長さ：３８００〜４１００ｍｍ程度であることが好ましい。
【００４１】
また、本実施形態では、生地１００のポケット構成部Ｃおよび表面構成部Ｂが、それぞれ、生地１００の両短辺部を複数回折り込んで形成される第１の短辺折込み部１３および第２の短辺折込み部１４を含んでいる（図３（ｂ）参照）。より具体的には、図３（ａ）中、短辺部Ｄを１３〜１７ｍｍ幅で生地１００の表面側（図３（ａ）中、紙面手前側）に２回折り込んでポケット構成部Ｃに重ねて、三巻縫いを行い第１の短辺折込み部１３を形成する。また、図３（ａ）中、短辺部Ｅを１３〜１７ｍｍ幅で生地１００の表面側（図３（ａ）中、紙面手前側）に２回折り込んで表面構成部Ｂに重ねて、三巻縫いを行い第２の短辺折込み部１４を形成する。これにより、図５（ｂ）に示すような短辺折込み部（三巻部）１３、１４が形成される。三巻縫いを行うことにより、各短辺折込み部１３、１４のほつれをより確実に防止することができる。
【００４２】
なお、生地１００の伸縮性を妨げない観点から、各三巻縫いはフィラメント糸を用いて行うのが好ましい。また、三巻縫いの代わりに、伸縮性のあるバイアステープで生地１００の両短辺部を縫製することにより、各短辺折込み部１３、１４のほつれを防止することができる。なお、両短辺を折り込む幅は、上記範囲内に限定されない。
【００４３】
（ＩＩ）
次に、ポケット構成部Ｃを、ポケット構成部Ｃと裏面構成部Ａとの境界部（折返し部１０１）で折返して裏面構成部Ａに重ねる（図３（ｂ）および図４（ａ）参照）。このポケット構成部Ｃの両長辺部の生地１００が重なった領域が縫製されることによって、包布１のポケット３が形成される。
【００４４】
また、ポケット構成部Ｃが裏面構成部Ａと重なった状態を維持するように、折返し部１０１から５〜２０ｍｍ程度離間した位置を短手方向に本縫いを行って、折返し部１０１で折返されて重なったポケット構成部Ｃと裏面構成部Ａとを縫製する。これにより、工程（ＩＶ）でポケット構成部Ｃが縫製される前に、ポケット構成部Ｃが裏返るのを防止することができる。なお、上記本縫いには、適度な伸縮性を有するフィラメント糸を用いて行うのが好ましい。
【００４５】
なお、図３（ｂ）中、ポケット３の深さ（長さ）に相当するＣ部分の長さは、２００〜４００ｍｍ程度であることが好ましい。
【００４６】
（ＩＩＩ）
次に、ポケット構成部Ｃを挟み込むように、表面構成部Ｂを、裏面構成部Ａと表面構成部Ｂとの境界部（折畳み部１０２）で折畳んで裏面構成部Ａに重ねる（図４（ａ）および図４（ｂ）参照）。
【００４７】
なお、図４（ａ）中、裏面構成部Ａおよび表面構成部Ｂの長さは略同じであり、１６００〜２０００ｍｍ程度であることが好ましい。
【００４８】
（ＩＶ）
次に、表面構成部Ｂおよび裏面構成部Ａの両側部（長辺部）の生地１００が重なった部分のうち、裏面構成部Ａと表面構成部Ｂとの境界部側に設定される手差込み口領域Ｆを除いて縫製して、袋状の縫製体１０を得る（図４（ｂ））。手差込み口領域Ｆは包布１の手差込み口６をなす。
【００４９】
図４（ｂ）中、手差込み口領域Ｆの長さは、１５０〜３００ｍｍ程度であることが好ましい。
【００５０】
手差込み口領域Ｆを除く、表面構成部Ｂおよび裏面構成部Ａの両側部の生地１００が重なった部分は、インターロック縫い（ロック縫いと同時に本縫いを行う縫い方）を行う。また、手差込み口領域Ｆは、オーバーロック縫いを行った後に、１０ｍｍ程度曲げた際を本縫いする。これにより、手差込み口領域Ｆ部分を除く長辺部の生地１００が重なった部分が縫製された縫製体１０が得られる。なお、上記インターロック縫いおよびオーバーロック縫いは、適度な伸縮性を有するフィラメント糸を用いて行うのが好ましい。
【００５１】
（Ｖ）
その後、縫製体１０を裏返すことにより、包布１を得る。上記工程（ＩＶ）において、縫製体１０の長辺部の縫い目（インターロック縫い、オーバーロック縫い、本縫いの縫い目）は、縫製体１０を裏返すことによって、外部から見えなくなり、包布１の外観が良好となり、綺麗にベッドメイキングすることができる。
【００５２】
なお、本実施形態では、包布１内に収容した掛布団が、掛布団使用中に包布１の外に出ることを防止するため、縫製体１０を裏返した後、裏返された表面構成部Ｂの表面（包布本体２の表面）および裏返されたポケット構成部Ｃの短辺折込み部１３（ポケット３表面）のそれぞれに、互いに係合可能な留め具４（４１、４２、４３および４４）を取り付ける（図５（ａ）参照）。ポケット３表面の留め具４３、４４は、ポケット３を包布本体２の表面に裏返した際に、包布本体２の表面の留め具４２、４１にそれぞれ係合する。
【００５３】
本実施形態の包布の製造方法では、１枚の長方形状の生地１００から、布団挿入口５および２つの手差込み口６、６を有する包布本体２と、ポケット３とを有する袋状の包布１が得られる。すなわち、上述した包布の製造方法によれば、複数の生地を用いることなく、包布１を製造することができ、サイズの異なる複数の生地を準備する必要がないため、低コストで包布１を得ることができる。
【００５４】
また、本実施形態の包布の製造方法では、布団挿入口５およびポケット３を形成する縫い目のうち、短辺折込み部１３および１４、折返し部１０１から５〜２０ｍｍ程度離間した位置を短手方向に本縫いする縫製部分の糸は、生地１００と同じ色（例えば、白色）以外の色糸を用いることが好ましい。係る色糸で縫製された縫い目は、縫製体１０を裏返した際に、包布１の表面に現れる縫い目である。そのため、包布１の布団挿入口５やポケット３の位置を一目瞭然で判別することができ、包布１内に掛布団を収容する際（掛布団に包布１をセッティングする際）、または洗濯・乾燥後に包布１を折り畳む際に、色糸の縫い目を目印とすることができる。
【００５５】
次に、上述した包布１の使用方法について、添付図面を参照して説明する。
＜包布の使用方法＞
図６（ａ）〜（ｃ）および図７（ａ）〜（ｃ）は、図１に示す包布に掛布団を収容する手順を説明するための図である。
【００５６】
まず、図６（ａ）に示すように、包布１の一方の短辺部１１側（衿元側）に設けられたポケット３の角を持つ。
【００５７】
次に、包布本体２の裏面がマットレス２０と対向するようにして、包布１をマットレス２０上に載置して、マットレス２０の一部（マットレス２０の頭部側の端部）に、ポケット３を被せる。その後、包布１の他方の短辺部１２側（裾側）の生地１００をマットレス２０の脚部側に軽く引張り、マットレス２０上に包布１を全体的に広げる（図６（ｂ）参照）。マットレス２０の一部にポケット３を被せた状態では、包布１の衿元側の短辺部１１がマットレス２０に固定されるため、包布１を容易に広げることができる。
【００５８】
次に、掛布団３０を準備し、マットレス２０上で一旦広げた後、長手方向に蛇腹折りで畳んだ状態で、掛布団３０を布団挿入口５前に置く（図６（ｃ）参照）。
【００５９】
その後、布団挿入口５から掛布団３０の一部を包布本体２内に挿入し、かつ、手差込み口６、６から両手を包布本体２内に入れて掛布団３０の端部を持ち、掛布団３０を包布本体２（包布１）内に完全に引き入れる（図７（ａ）参照）。その際に、包布１の衿元側の短辺部１１がマットレスに固定されるため、掛布団を包布１内に少ない労力で簡単に引き入れることができる。
【００６０】
その後、ポケット３を、マットレス２０から外して、布団挿入口５を覆うように包布本体２の表面（包布１の表側）に裏返す（図７（ｂ）参照）。
【００６１】
次に、裏返されたポケット３表面の留め具４３、４４を、包布本体２の表面の留め具４２、４１にそれぞれ留める（図７（ｃ）参照）。これにより、包布１内に掛布団３０が収容される。
【００６２】
その後、包布１と掛布団３０を一旦広げて、包布１表面のしわを伸ばした後、掛布団３０をマットレス２０の脚部側に折り畳むことにより、ベッドメイキングが完了する。
【００６３】
上記の包布の使用方法では、掛布団３０を持ち上げる必要もなく、スムーズに掛布団３０を包布１内に引き入れることができるため、１人でも短時間で、かつ少ない労力でベッドメイキングすることができる。
【００６４】
なお、本実施形態の包布１では、包布１の衿元側に布団挿入口５およびポケット３が設けられ、包布１の裾側に手差込み口６、６が設けられているとして説明したが、本発明はこれに限定されない。上記の構成とは逆に、包布の裾側に布団挿入口５およびポケット３が設けられ、包布の衿元側に手差込み口６、６が設けられた包布とすることもできる。係る包布では、ポケット３をマットレス２０の脚部側の端部に被せた状態で、上記包布の使用方法と同様の方法で、包布内に掛布団を引き入れる。その後、ポケット３を、マットレス２０から外して、布団挿入口５を覆うように包布本体２の表面に裏返し、留め具４を留めた後、掛布団３０をマットレス２０の脚部側に折り畳むことにより、ベッドメイキングをすることもできる。
【００６５】
以上、本発明のシーツを図示の実施形態に基づいて説明したが、本発明は、これに限定されるものではなく、各構成は、同様の機能を発揮し得る任意のものと置換することができ、あるいは、任意の構成のものを付加することができる。
【符号の説明】
【００６６】
１…包布  １０…縫製体  １１、１２…短辺部  １３…第１の短辺折込み部  １４…第２の短辺折込み部  ２…包布本体  ３…ポケット  ３１…開口  ４、４１、４２、４３、４４…留め具  ５…布団挿入口  ６…手差込み口  １００…生地  １０１…境界部（折返し部）  １０２…境界部（折畳み部）  ２０…マットレス  ３０…掛布団
【図１】
2020022688.tif 000003
【図２】
2020022688.tif 000004
【図３】
2020022688.tif 000005
【図４】
2020022688.tif 000006
【図５】
2020022688.tif 000007
【図６】
2020022688.tif 000008
【図７】
2020022688.tif 000009
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、
前記包布本体の前記布団挿入口反対の短辺側の両長辺部に、前記掛布団を前記包布本体内に手で引き入れるための手差込み口が形成されており、
前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の表面に裏返すことにより前記掛布団が前記包布内に収容されることを特徴とする包布。
【請求項２】
前記包布本体の前記表面および前記ポケットの表面のそれぞれに、前記ポケットを前記包布本体の前記表面に裏返した際に、互いに係合可能な留め具をさらに有する請求項１に記載の包布。
【請求項３】
前記留め具は、前記包布本体の前記表面および前記ポケットの表面のそれぞれに、複数設けられており、
前記ポケットの表面に設けられた複数の前記留め具は、前記ポケットの開口沿いに配列されている請求項２に記載の包布。
【請求項４】
前記留め具は、プラスチック製のスナップボタンである請求項２または３に記載の包布。
【請求項５】
前記包布本体および前記ポケットを構成する生地は、制電糸を含むポリエステル繊維で構成された生地である請求項１ないし４のいずれかに記載の包布。
【請求項６】
マットレスを備えたベッドに用いられる掛布団の包布の製造方法であって、
ポケット構成部、裏面構成部および表面構成部がこの順に連続して存在する、長尺かつ幅広な１枚の生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、を有することを特徴とする包布の製造方法。
【請求項７】
前記ポケット構成部および前記表面構成部は、前記生地の両短辺部を複数回折り込んで形成される短辺折込み部を含む請求項６に記載の包布の製造方法。
【請求項８】
前記包布本体の表面および前記ポケットの表面のそれぞれに、前記ポケットを前記包布本体の表面に裏返した際に、互いに係合可能な留め具を取り付ける工程を、さらに有する請求項６または７に記載の包布の製造方法。
【手続補正２】
【補正対象書類名】明細書
【補正対象項目名】０００８
【補正方法】変更
【補正の内容】
【０００８】
このような目的は以下の（１）〜（８）の本発明により達成される。
（１）  マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、
前記包布本体の前記布団挿入口反対の短辺側の両長辺部に、前記掛布団を前記包布本体内に手で引き入れるための手差込み口が形成されており、
前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の表面に裏返すことにより前記掛布団が前記包布内に収容されることを特徴とする包布。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
（２）  前記包布本体の前記表面および前記ポケットの表面のそれぞれに、前記ポケットを前記包布本体の前記表面に裏返した際に、互いに係合可能な留め具をさらに有する上記（１）に記載の包布。
【手続補正５】
【補正対象書類名】明細書
【補正対象項目名】００１１
【補正方法】変更
【補正の内容】
【００１１】
（３）  前記留め具は、前記包布本体の前記表面および前記ポケットの表面のそれぞれに、複数設けられており、
前記ポケットの表面に設けられた複数の前記留め具は、前記ポケットの開口沿いに配列されている上記（２）に記載の包布。
【手続補正６】
【補正対象書類名】明細書
【補正対象項目名】００１２
【補正方法】変更
【補正の内容】
【００１２】
（４）  前記留め具は、プラスチック製のスナップボタンである上記（２）または（３）に記載の包布。
【手続補正７】
【補正対象書類名】明細書
【補正対象項目名】００１３
【補正方法】変更
【補正の内容】
【００１３】
（５）  前記包布本体および前記ポケットを構成する生地は、制電糸を含むポリエステル繊維で構成された生地である上記（１）ないし（４）のいずれかに記載の包布。
【手続補正８】
【補正対象書類名】明細書
【補正対象項目名】００１４
【補正方法】変更
【補正の内容】
【００１４】
（６）  マットレスを備えたベッドに用いられる掛布団の包布の製造方法であって、
ポケット構成部、裏面構成部および表面構成部がこの順に連続して存在する、長尺かつ幅広な１枚の生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、を有することを特徴とする包布の製造方法。
【手続補正９】
【補正対象書類名】明細書
【補正対象項目名】００１５
【補正方法】変更
【補正の内容】
【００１５】
（７）  前記ポケット構成部および前記表面構成部は、前記生地の両短辺部を複数回折り込んで形成される短辺折込み部を含む上記（６）に記載の包布の製造方法。
【手続補正１０】
【補正対象書類名】明細書
【補正対象項目名】００１６
【補正方法】変更
【補正の内容】
【００１６】
（８）  前記包布本体の表面および前記ポケットの表面のそれぞれに、前記ポケットを前記包布本体の表面に裏返した際に、互いに係合可能な留め具を取り付ける工程を、さらに有する上記（６）または（７）に記載の包布の製造方法。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットと、前記包布本体の表面および前記ポケットの表面のそれぞれに、互いに係合可能な留め具とを有し、
前記包布本体の前記布団挿入口反対の短辺側の両長辺部に、前記掛布団を前記包布本体内に手で引き入れるための手差込み口が形成されており、
前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の前記表面に裏返して、裏返された前記ポケットの前記表面の前記留め具を、前記包布本体の前記表面の前記留め具に係合することにより前記掛布団が前記包布内に収容されることを特徴とする包布。
【請求項２】
前記留め具は、前記包布本体の前記表面および前記ポケットの表面のそれぞれに、複数設けられており、
前記ポケットの表面に設けられた複数の前記留め具は、前記ポケットの開口沿いに配列されている請求項１に記載の包布。
【請求項３】
前記留め具は、プラスチック製のスナップボタンである請求項１または２に記載の包布。
【請求項４】
前記包布本体および前記ポケットを構成する生地は、制電糸を含むポリエステル繊維で構成された生地である請求項１ないし３のいずれかに記載の包布。
【請求項５】
マットレスを備えたベッドに用いられる掛布団の包布の製造方法であって、
ポケット構成部、裏面構成部および表面構成部がこの順に連続して存在する、長尺かつ幅広な１枚の生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、
前記包布本体の表面および前記ポケットの表面のそれぞれに、前記ポケットを前記包布本体の前記表面に裏返した際に、互いに係合可能な留め具を取り付ける工程と、を有することを特徴とする包布の製造方法。
【請求項６】
前記ポケット構成部および前記表面構成部は、前記生地の両短辺部を複数回折り込んで形成される短辺折込み部を含む請求項５に記載の包布の製造方法。
【手続補正２】
【補正対象書類名】明細書
【補正対象項目名】０００８
【補正方法】変更
【補正の内容】
【０００８】
このような目的は以下の（１）〜（６）の本発明により達成される。
（１）  マットレスを備えたベッドに用いられる掛布団の包布であって、
前記包布は、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットと、前記包布本体の表面および前記ポケットの表面のそれぞれに、互いに係合可能な留め具とを有し、
前記包布本体の前記布団挿入口反対の短辺側の両長辺部に、前記掛布団を前記包布本体内に手で引き入れるための手差込み口が形成されており、
前記包布本体の前記裏面が前記マットレスと対向するようにして前記包布を前記マットレス上に載置して、前記ポケットを前記マットレスの一部に被せた状態で、前記布団挿入口から前記掛布団を前記包布本体内に挿入し、かつ、前記手差込み口から前記包布本体内に手を入れて前記掛布団を前記包布本体内に引き入れた後、前記ポケットを、前記マットレスから外して、前記布団挿入口を覆うように、前記包布本体の前記表面に裏返して、裏返された前記ポケットの前記表面の前記留め具を、前記包布本体の前記表面の前記留め具に係合することにより前記掛布団が前記包布内に収容されることを特徴とする包布。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
（２）  前記留め具は、前記包布本体の前記表面および前記ポケットの表面のそれぞれに、複数設けられており、
前記ポケットの表面に設けられた複数の前記留め具は、前記ポケットの開口沿いに配列されている上記（１）に記載の包布。
【手続補正５】
【補正対象書類名】明細書
【補正対象項目名】００１２
【補正方法】変更
【補正の内容】
【００１２】
（３）  前記留め具は、プラスチック製のスナップボタンである上記（１）または（２）に記載の包布。
【手続補正６】
【補正対象書類名】明細書
【補正対象項目名】００１３
【補正方法】変更
【補正の内容】
【００１３】
（４）  前記包布本体および前記ポケットを構成する生地は、制電糸を含むポリエステル繊維で構成された生地である上記（１）ないし（３）のいずれかに記載の包布。
【手続補正７】
【補正対象書類名】明細書
【補正対象項目名】００１４
【補正方法】変更
【補正の内容】
【００１４】
（５）  マットレスを備えたベッドに用いられる掛布団の包布の製造方法であって、
ポケット構成部、裏面構成部および表面構成部がこの順に連続して存在する、長尺かつ幅広な１枚の生地を準備する工程と、
前記ポケット構成部を、前記ポケット構成部と前記裏面構成部との境界部で折返して前記裏面構成部に重ねる工程と、
前記ポケット構成部を挟み込むように、前記表面構成部を、前記裏面構成部と前記表面構成部との境界部で折畳んで前記裏面構成部に重ねる工程と、
前記表面構成部、前記ポケット構成部および前記裏面構成部の両側部の前記生地が重なった部分を縫製するとともに、前記表面構成部および前記裏面構成部の両側部の前記生地が重なった部分のうち、前記裏面構成部と前記表面構成部との前記境界部側に設定される手差込み口領域を除いて縫製して、袋状の縫製体を得る工程と、
前記縫製体を裏返すことにより、一方の短辺側に前記掛布団を挿入するための布団挿入口を形成してなる長尺な袋状の包布本体と、前記包布本体の裏面の前記布団挿入口が形成された短辺側に設けられ、前記マットレスの一部を収容可能に形成されたポケットとを有し、前記包布本体の前記布団挿入口反対の短辺側の両長辺部に、前記掛布団を前記包布本体内に手で引き入れるための手差込み口が形成された包布を得る工程と、
前記包布本体の表面および前記ポケットの表面のそれぞれに、前記ポケットを前記包布本体の前記表面に裏返した際に、互いに係合可能な留め具を取り付ける工程と、を有することを特徴とする包布の製造方法。
【手続補正８】
【補正対象書類名】明細書
【補正対象項目名】００１５
【補正方法】変更
【補正の内容】
【００１５】
（６）  前記ポケット構成部および前記表面構成部は、前記生地の両短辺部を複数回折り込んで形成される短辺折込み部を含む上記（５）に記載の包布の製造方法。
【手続補正９】
【補正対象書類名】明細書
【補正対象項目名】００１６
【補正方法】削除
【補正の内容】